(57)【要約】【課題】ステータコアＳＣを冷却液により直接冷却することで比較的冷却能が高く、品質が安定し、組み立てが容易でコスト上昇を招来しないステータ冷却構造を得る。【解決手段】回転電機Ｍの回転軸に沿った断面視で、ステータコアＳＣの外径線が回転軸Ａに沿った直線を成す構成を採用するとともに、ケースＭＣの内径面に外径側に凹のケース側冷却液溝ｃｈ（ｃｈｗ、ｃｈａ）を穿ち、冷却液溝ｃｈとステータコアＳＣの外径面との間に、冷却液が流れる冷却液流路を設ける。【選択図】図１
2009022145.tif 000002
【特許請求の範囲】
【請求項１】
ステータとロータとを備え、前記ステータを成すステータコアが鋼板を積層した積層構造体とされるとともに、前記ステータコアの外径面がケースの内径面に接触されて、前記ステータコアが前記ケースに固定されるステータを冷却液により冷却する回転電機の冷却構造であって、
回転電機の回転軸に沿った断面視で、前記ステータコアの外径線が前記回転軸に沿った直線を成す構成を採用するとともに、前記ケースの内径面に外径側に凹のケース側冷却液溝を穿ち、前記冷却液溝と前記ステータコアの外径面とで、前記冷却液が流れる冷却液流路を形成した回転電機の冷却構造。
【請求項２】
前記ケース側冷却液溝が、前記回転軸の周方向に沿って設けられる周方向冷却液溝である請求項１記載の回転電機の冷却構造。
【請求項３】
前記ケース側冷却液溝として、前記回転軸の軸方向に沿って設けられる軸方向冷却液溝をさらに備えた請求項２記載の回転電機の冷却構造。
【請求項４】
ケースの外径側に回転軸の軸方向に沿って設けられ、電装品が配設される電装品配設空間と、前記ステータコアが配設されるステータコア配設空間とを連通接続する連通接続部で、前記周方向冷却液溝の一部が構成される請求項３記載の回転電機の冷却構造。
【請求項５】
前記ステータコアの外径面に、前記回転軸の軸方向に沿ってコア側冷却液流路構成部が設けられる請求項１〜４の何れか一項記載の回転電機の冷却構造。
【請求項６】
前記コア側冷却液流路構成部が、積層状態にある鋼板を溶接により互いに接合するための溶接溝及びケースに対するステータコアの前記回転軸の周方向に於ける位置を決定するための位置決め部の何れか一方若しくは両方である請求項５記載の回転電機の冷却構造。
【請求項７】
前記ステータに備えられるコイルのコイルエンドが前記ステータコアの軸方向両端外側に配設され、前記冷却液流路に冷却液を供給するステータコア冷却液供給路と、前記コイルエンドに冷却液を供給するコイルエンド冷却液供給路とを、同一の冷却液源から備えた請求項１〜６の何れか一項記載の回転電機の冷却構造。
【請求項８】
前記回転軸の周方向に沿って設けられる周方向冷却液溝を複数備え、回転軸の軸方向において、ステータコア中央側の周方向冷却液溝の数が、ステータコアの端部側の周方向冷却液溝の数より大きく設定されている請求項７記載の回転電機の冷却構造。
【請求項９】
前記ロータに冷却液を供給するロータ冷却液供給路を、前記同一の冷却液源から備えた請求項７記載の回転電機の冷却構造。
【請求項１０】
前記ステータコア冷却液供給路、前記コイルエンド冷却液供給路と前記ロータ冷却液供給路との間で、各供給路に供給する冷却液の量を調節する冷却液供給量調節手段を設けた請求項９記載の回転電機の冷却構造。
【請求項１１】
前記ステータコアが前記ケースに、回転軸の径方向において焼き嵌めされている請求項１〜１０の何れか一項記載の回転電機の冷却構造。
【発明の詳細な説明】
【技術分野】
【０００１】
本発明は、ステータとロータとを備え、ステータを成すステータコアが鋼板を積層した積層構造体とされるとともに、ステータコアの外径面がケースの内径面に接触されて、ステータコアがケースに固定されるステータを冷却液により冷却する回転電機の冷却構造に関する。
【背景技術】
【０００２】
このようなステータを冷却する冷却構造として、特許文献１に記載の構造、特許文献２に記載の構造が提案されている。
【０００３】
特許文献１には、回転電機の冷却構造として、従来技術として当該明細書図８に示す構造が示されるとともに、その従来技術を解決する手段として、当該明細書図１から図７に示す構造が提案されている。この構造では、ステータ１はステータスリーブ２の壁面を介して間接的に冷却される。
【０００４】
当該明細書において従来技術である図８に示されている構造は、ステータ１の外径側にステータスリーブ２を設け、このステータスリーブ２とハウジング３（本願におけるケースに相当する）との間に、冷却液が流れる螺旋状の冷却液流路を設けている。
一方、当該明細書に記載の発明に相当する図１に示される構造では、螺旋状の冷却液流路を設けるのに、図２に示すように、鋼板の一部外周部位を切り欠いた鋼板を多数用意しておき、図３、図４に示されるように、所定の位相で切り欠き部をずらして組み付けることで、ステータ１の外径部位に螺旋状の冷却液流路を形成している。この技術にあっては、ステータコアの軸方向端部部位を形成するのに、切り欠き部を設けない鋼板も必要となる。図７に示される構造では、ステータ１の外径側に複数のカラー１４を設け、冷却液が周回する冷却液流路を形成している。
【０００５】
特許文献２には、回転電機の冷却構造として、当該明細書図１、図１０に示されるように、外径が異なる複数種類の薄板（鋼板）４２、４４を用意し、それら各種類毎に積層し、薄板４２、４４の外周面とケーシング３０の内周面との間に空間を形成し、この空間に冷却液を流すようにしている。
【０００６】
【特許文献１】特開平７−２６４８１０号公報
【特許文献２】特開２００１−３３３５５９号公報
【発明の開示】
【発明が解決しようとする課題】
【０００７】
上記特許文献１の従来技術である図８に示される構造では、当該明細書にも記載されているように、回転電機の原価が高くなる。一方、冷却液流路を螺旋状にすると、冷却液流路の上流側と下流側とで、冷却が不均一に成り易い。この問題点は、図１に示される構造でも同様である。
さらに、図１に示される構造では、ステータコア自体に冷却液流路を設けるため、ステータコアを構成する鋼板は２種類以上（少なくとも、切り欠きのないものとあるもの）必要となる。さらに、螺旋状の冷却液流路を形成するのに、一定の位相で鋼板を周方向にずらしながら組み立てる必要があり、製造工程が複雑となるとともに品質にばらつきが出やすい。結果、コスト高に繋がる。また、ステータコアを構成する材料、つまり鋼板で冷却液流路を構成することとなるため、回転電機の重量が相対的に増加し不利である。
一方、図７に示される構造では、カラー１４を使用するため、ステータコア自体の構成は比較的簡単であるが、ハウジング３、複数のカラー１４、ステータコアの位置決めを厳格に行うのが比較的難しく、コスト高に繋がるという問題がある。
【０００８】
特許文献２に示す構成では、特許文献１の図１に示す構造で説明したと同様に、ステータコア自体に冷却液流路を設けるため、ステータコアを構成する鋼板は２種以上（少なくとも、切り欠きのないものとあるもの）必要となり不利である。ステータコアを構成する材料、つまり鋼板で冷却液流路を構成することとなるため、回転電機の重量が相対的に増加する。
【０００９】
本発明の目的は、ステータコアを冷却液により直接冷却することで比較的冷却能が高く、品質が安定し、組み立てが容易でコスト高を招来しない回転電機の冷却構造を得ることにある。
【課題を解決するための手段】
【００１０】
上記目的を達成するための本発明に係る、ステータとロータとを備え、前記ステータを成すステータコアが鋼板を積層した積層構造体とされるとともに、前記ステータコアの外径面がケースの内径面に接触されて、前記ステータコアが前記ケースに固定されるステータを冷却液により冷却する回転電機の冷却構造の第１特徴構成は、回転電機の回転軸に沿った断面視で、前記ステータコアの外径線が前記回転軸に沿った直線を成す構成を採用するとともに、前記ケースの内径面に外径側に凹のケース側冷却液溝を穿ち、前記冷却液溝と前記ステータコアの外径面とで、前記冷却液が流れる冷却液流路を形成した点にある。
【００１１】
本願構成にあっては、まず、回転電機の回転軸に沿った断面視で、ステータコアの外径線が回転軸に沿った直線となるようにする。この構成は、ステータコアを鋼板の積層により形成するのに、鋼板全てを同一の形状のものを用いて積層するだけで実現できる構成であり、従来技術のように、複数種の鋼板を用意する必要は無くなり、コスト高となる問題、さらには、組付けが難しくなる等の問題を解消できる。
また、この構成の回転電機では、ステータコアの外径面に沿って冷却液が流れる冷却液流路を形成するのに、ケースの内径面にケース側冷却液溝を穿ち、この冷却液溝とステータコアの外径面との間に、冷却液が流れる冷却液流路を形成する。従って、冷却液流路は、実質的にケースの材料により形成されるため、回転電機が相対的に重たくなるという問題を解決できる。さらに、ケース側にケース側冷却液溝を穿っておき、そのケース内にステータコアを収納するだけの簡単な操作で冷却液流路を形成でき、コストを低減できる。
上記の本願第１の特徴構成を備えた回転電機の冷却構造において、前記ケース側冷却液溝が、前記回転軸の周方向に沿って設けられる周方向冷却液溝であることが好ましい。この構成が、本願第２の特徴構成である。
この構成では、冷却液が流れる冷却液流路を、ステータコアの外径面と周方向冷却液溝との間に形成して、冷却液をステータコアの外周に、周方向に巡らせて、周方向の各部位を良好に冷却できる。
【００１２】
上記の本願第２の特徴構成を備えた回転電機の冷却構造において、前記ケース側冷却液溝として、前記回転軸の軸方向に沿って設けられる軸方向冷却液溝をさらに備えることが好ましい。この構成が、本願第３の特徴構成である。
この構成では、冷却液が流れる冷却液流路を、ステータコアの外径面と軸方向冷却液溝との間に形成して、冷却液をステータコアの外周、軸方向に巡らせて、軸方向の各部位を良好に冷却できる。さらに、周方向に形成される冷却液流路と軸方向に形成される冷却液流路とは交差するため、両流路間での冷却液の流通、混合を実現でき、冷却能が高い状態で、ステータコアの各部位を良好に冷却できる。
【００１３】
上記の本願第３の特徴構成を備えた回転電機の冷却構造において、ケースの外径側に回転軸の軸方向に沿って設けられ、電装品が配設される電装品配設空間と、前記ステータコアが配設されるステータコア配設空間とを連通接続する連通接続部で、前記周方向冷却液溝の一部が構成されることが、好ましい。この構成が、本願第４の特徴構成である。
【００１４】
この構成では、電装品配設空間とステータコア配設空間とを連通接続する連通接続部で周方向冷却液溝の一部が構成することで、別途目的で設けられている空間を利用し、周方向冷却液溝としても利用することで、冷却液を各所に行き渡らせ、回転電機の冷却を良好に行える。
【００１５】
さて、これまで説明してきた回転電機の冷却構造において、前記ステータコアの外径面に、前記回転軸の軸方向に沿ってコア側冷却液流路構成部が設けられることが、好ましい。この構成が、本願第５の特徴構成である。
この構成を採用すると、ケースの内径面とコア側冷却液流路構成部とにより、回転軸の軸方向に沿った冷却液流路を備えることができ、ケース側に穿たれる溝により形成される流体流路に加えて、回転軸の軸方向に沿った冷却液流路を備えることとなり、冷却液をステータコアの外周、軸方向に巡らせて、軸方向の各部位を良好に冷却できる。
【００１６】
このような、コア側冷却液流路構成部としては、これを積層状態にある鋼板を溶接により互いに接合するための溶接溝及びケースに対するステータコアの前記回転軸の周方向に於ける位置を決定するための位置決め部の何れか一方若しくは両方であるものとできる。この構成が、本願第６の特徴構成である。
この構成では、ステータコアに設けられる溶接溝或いは位置決め部の何れか一方若しくは両方を使用して、回転軸の軸方向に沿った冷却液流路を形成することができる。
結果、余分な溝等をステータコアに設けることなく、別の目的で設けられている機能部（溶接溝、位置決め部）を冷却の用に供することができる。
【００１７】
これまで説明してきた回転電機の冷却構造において、
前記ステータに備えられるコイルのコイルエンドが前記ステータコアの軸方向両端外側に配設され、前記冷却液流路に冷却液を供給するステータコア冷却液供給路と、前記コイルエンドに冷却液を供給するコイルエンド冷却液供給路とを、同一の冷却液源から備えた
構成とすることが好ましい。この構成が、本願第７の特徴構成である。
【００１８】
同一の冷却液源から供給される冷却液を利用しての、ステータコア冷却液供給路を介しての、本願独特の構成に従ったステータコアの冷却を実現できるとともに、コイルエンド冷却液供給路を設けることで、コイルエンドの冷却も行うことができる。
【００１９】
上記の本願第７の特徴構成を備えた回転電機の冷却構造において、前記回転軸の周方向に沿って設けられる周方向冷却液溝を複数備え、回転軸の軸方向において、ステータコア中央側の周方向冷却液溝の数が、ステータコアの端部側の周方向冷却液溝の数より大きく設定されていることが好ましい。この構成が、本願第８の特徴構成である。
【００２０】
この構成にあっては、周方向冷却液溝を複数備え、それらを回転軸の軸方向において分散して配置するのに、ステータコア中央側の周方向冷却液溝の数を、ステータコアの端部側の周方向冷却液溝の数より大きく設定することで、熱くなり易いステータコアの中央側を良好に冷却でき、ステータ全体として温度上昇が起きにくい回転電機を得ることができる。このような中央側が熱くなる状態は、コイルエンドの冷却を行う場合に発生し易いが、コイルエンドを良好に冷却する構造において、ステータコアの中央側を良好に冷却できる。
本願第７の特徴構成を備えた回転電機の冷却構造において、前記ロータに冷却液を供給するロータ冷却液供給路を、前記同一の冷却液源から備えることが好ましい。この構成が、本願第９の特徴構成である。
同一の冷却液源から供給される冷却液を利用しての、ステータコア冷却液供給路を介してのステータコアの冷却、コイルエンドの冷却に加えて、ロータ冷却液供給路を設けることで、ロータに冷却も行える。ロータに永久磁石を備える場合は、永久磁石を冷却液により冷却すると、その昇温に伴う劣化の防止も行うことができる。
【００２１】
本願第９の特徴構成を備えた回転電機の冷却構造において、前記ステータコア冷却液供給路、前記コイルエンド冷却液供給路と前記ロータ冷却液供給路との間で、各供給路に供給する冷却液の量を調節する冷却液供給量調節手段を設けることが好ましい。この構成が、本願第１０の特徴構成である。
各冷却液供給路間での冷却液の供給量を冷却液供給量調節手段で調節することで、冷却液の各冷却液供給路間での調節を適切なものとできる。
【００２２】
これまで説明してきた回転電機の冷却構造において、前記ステータコアが前記ケースに、回転軸の径方向において焼き嵌めされていることが好ましい。焼き嵌めすることで、ステータコアをケースに確実に位置決めでき、同時に、比較的容易な手法で、冷却液流路を、本願提案に従って、確実に実現できる。
【発明を実施するための最良の形態】
【００２３】
以下、本願に係る回転電機の冷却構造を採用した回転電機Ｍを図面に基づいて説明する。
図１は、本願に係る回転電機の冷却構造を採用した回転電機Ｍの回転軸Ａに沿った断面図であり、図２は、回転電機Ｍの構成の概略を説明するための分解斜視図である。さらに、図３は、図１に於けるＩＩＩ−ＩＩＩ断面（ａ）とＩＶ−ＩＶ断面（ｂ）を示す図である。図３（ａ）と３（ｂ）との間において、（ａ）にあっては、ケースＭＣの内径面とステータコアＳＣの外径面との間に周方向の冷却液流路が形成されていない。これに対して（ｂ）にあっては、ケースＭＣの内径面とステータコアＳＣの外径面との間に周方向の冷却液流路が形成されている。
図４（ａ）（ｂ）は、それぞれステータＳに巻かれるコイルＣのコイルエンドＣＥを冷却するための冷却液の供給構造を示す図である。図５は、ステータコアＳＣ及びコイルエンドＣＥを冷却するための冷却液の供給構造を模式的に示した図である。一方、図６は、ロータＲを冷却するための冷却液の供給構造を模式的に示した図である。
【００２４】
図１に示すように、回転電機Ｍは、円筒状のケース本体ＭＣ１内に、ステータＳとロータＲとが収納されて構成されており、ステータＳはケース本体ＭＣ１に固定されるとともに、ロータＲは、ケース本体ＭＣ１の両端開口を覆う左右一対のカバーＭＣＬ，ＭＣＲにより回転可能に支持される。
【００２５】
前記ロータＲは、支持ベアリングＢＲＧを介して、前記一対のカバーＭＣＬ，ＭＣＲに回転可能に支持される回転軸Ａと、当該回転軸Ａの中央側部位にリテーナＲＬ，ＲＲ間に挟まれた状態で保持されるロータ本体Ｒ１を備えている。このロータ本体Ｒ１内には、後に詳細に説明するように回転軸Ａの軸方向に延びる棒状の永久磁石ＰＭが収納・配設されている。
【００２６】
回転軸Ａは、その両端部位に他の伝導軸（図外）と連結するための連結部Ａ１を備えており、回転電機Ｍが発生する駆動力を回転電機の外部に出力したり、例えば、内燃機関（エンジン：図外）により発生される駆動力を一方側から受け入れて自ら発生する駆動力を追加して他方側へ出力したり、回転電機Ｍにより発生される駆動力を使用して内燃機関の始動を行うことが可能となるように構成されている。さらに、回転電機に外部から伝達される駆動力により、当該回転電機Ｍがジェネレータとして働くことも可能とされている。
【００２７】
前記ステータＳは、ケース本体ＭＣ１に固定されるステータコアＳＣを備えて構成されており、このステータコアＳＣに巻かれるコイルＣのコイルエンドＣＥが、ステータコアＳＣの軸方向両端外側に位置される構成となっている。
【００２８】
図２からも判明する様に、ステータコアＳＣは、概略リング状の鋼板ｐを多数枚、回転軸Ａの軸方向に積層して構成される。図３は、これら鋼板ｐを軸方向で見た図面となる。
各鋼板ｐは、その内径側に多数のティースｔを備えて構成されている。このティースｔ間には、先に説明したコイルＣが所定の状態で巻かれる。一方、各鋼板ｐの外径側には、積層状態にある多数の鋼板ｐを溶接により互いに接合するための溶接溝ｗｈが周方向に３箇所形成されているとともに、ケース本体ＭＣ１に設けられる位置決め溝ｐｈに挿入されて、鋼板ｐを回転軸Ａの周方向で固定するための位置決め突部ｐｐが周方向に２箇所形成されている。
前記溶接溝ｗｈは、鋼板ｐに、内径側に凹状となる溝として積層方向（回転軸の軸方向と同じ）において、その全領域（図２に示す最も下側に位置する鋼板ｐｂから最も上側に位置する鋼板ｐｔに到る領域）に渡って形成されている。さらに、図３からも判明するように、この溶接溝ｗｈは、互いに隣接して形成された一対の溝部ｗｈ１，ｗｈ２から成っている。
【００２９】
前記位置決め突部ｐｐは、鋼板ｐの外径側に凸状に形成された突部として積層方向において、その全領域に渡って形成されている。
そして、図１に示すように、回転電機Ｍの回転軸Ａに沿った断面視で、ステータコアＳＣの外径線は、回転軸Ａに沿った直線を成す構成が採用されている。
【００３０】
このステータコアＳＣにはコイルＣ（ステータコイルと呼ばれる）が巻かれるが、このコイルＣはワニス（図外）が含浸されて、絶縁状態で形状固定されている。更に、鋼板ｐと絶縁紙間にもワニスが含浸されて、ステータとコイル間の熱伝導率が向上され、放熱性が向上する。
【００３１】
ステータＳの位置決めに関して説明すると、ステータＳの回転軸Ａの軸方向における位置は、ステータコアＳＣの一方の軸方向端部（図１に示す例では左側端部）をケースＭＣに設けられた座部ＭＣ４に当て付けることで位置決めされる構成が採用されている。この位置決めは、図１からも判明するように、ケース本体ＭＣ１に左カバーＭＣＬを固定した状態で、ステータＳをケースＭＣ内に収納し、右カバーＭＣＲをケース本体ＭＣ１に固定することで実現する。
一方、回転軸Ａの径方向に関しては、ステータコアＳＣがケース本体ＭＣ１に焼き嵌めされることで、その位置が決まる。さらに、回転軸Ａの周方向位置は、前記位置決め突部ｐｐをケースＭＣに設けられた位置決め溝ｐｈに嵌め込むことで位置決めされる。
従って、本願に係る回転電機Ｍでは、ケースＭＣの内径面に、本願にいうケース側冷却液溝ｃｈが設けられた領域、ステータコア側に前記溶接溝ｗｈが形成された領域、或いは、前記位置決め突部ｐｐが形成された領域を除いて、図３（ａ）に示すように、ステータコアＳＣの外径面がケースＭＣの内径面に直接接触する構造が採用されている。
【００３２】
以上が本願に係る回転電機の冷却構造を採用した回転電機Ｍの構造の概略であるが、以下、この回転電機Ｍに採用されている冷却液によるステータＳの冷却構造、ロータＲの冷却構造について説明する。
図１から判明するように、左カバーＭＣＬには、その上面に冷却液の導入口ｉｎ及びそれに連なる共通導入路ｃｉが設けられており、この共通導入路ｃｉから、冷却液を、ステータコアＳＣの外径部、左右のコイルエンドＣＥ、ロータ本体ＭＣ１内に設けられた空隙Ｈ１、Ｈ２に供給して、ステータコアＳＣ、両コイルエンドＣＥ、さらにはロータＲの冷却が可能とされている。
【００３３】
ステータコアの冷却
図１、図５に示すように、前記共通導入路ｃｉから前記ステータコアＳＣの外径部には、冷却液を当該部位に供給するためのステータコア冷却液供給路ｓｃｓが形成されている。このステータコア冷却液供給路ｓｃｓは概ねケース本体ＭＣ１に設けられており、その基端側が前記共通導入路ｃｉに連通されるとともに、ステータコアＳＣの外径部側に関しては、ケース本体ＭＣ１のほぼ中央部位に中央開口ｃｏを設けて、冷却液をステータコアＳＣの外径部に供給する構造が採用されている。
【００３４】
以上が、ステータコア外径部位までの冷却液の供給構造であるが、以下、ステータコアＳＣ周りの冷却構造の詳細について説明する。本願にあっては、ステータコアＳＣの冷却を実現するのに、ケース本体ＭＣ１の内径面に外径側に凹に形成されたケース側冷却液溝ｃｈを穿ち、この冷却液溝ｃｈとステータコアＳＣの外径面との間に、冷却液が流れる冷却液流路を形成して、本願の目的を達成するものとしている。
【００３５】
ケース側冷却液溝
本実施形態では、ケース側冷却液溝ｃｈとして、回転軸Ａの周方向に沿って設けられる７本の周方向冷却液溝ｃｈｗが設けられるとともに、さらに、回転軸Ａの軸方向に沿って設けられる上下２本の軸方向冷却液溝ｃｈａが冷却液の流通用に設けられるとともに、前記位置決め溝ｐｈがこの軸方向冷却液溝ｃｈとしても働く構成が採用されている。
【００３６】
図３（ｂ）は、上記の周方向冷却液溝ｃｈｗの形成状態を示したものであり、図１に於けるＩＶ−ＩＶ断面にあっては、ステータコアＳＣの外径面とケース本体ＭＣ１の内径面との間に、冷却液流路を成す空間が、回転軸Ａの全周に渡って連通して形成されていることが判る。
さらに、当該図３に示すように、ケースＭＣの左右方向下側部位には、電装品（図外）が収納配設される電装品配設空間ＥＡが回転軸Ａの軸方向に渡って形成されている。そして、当該電装品配設空間ＥＡとステータコアＳＣが配設されるステータコア配設空間ＳＣＡとを連通接続する連通接続部が、周方向冷却液溝ｃｈｗの一部とされる構成が採用されている。
【００３７】
さて、複数設けられる先に説明した周方向冷却液溝ｃｈｗに関し、回転軸Ａの軸方向におけるその分布に関して説明すると、図１から判明するように、ステータコア中央側の周方向冷却液溝ｃｈｗの数が、ステータコアＳＣのコア端面側の周方向冷却液溝ｃｈｗの数より大きく設定されている。結果、通常、特に、コイルエンド冷却を別途行う場合に、熱くなりやすいステータコアＳＣの中央側部位を良好に冷却することができる。
【００３８】
コア側冷却液流路構成部
本願にあっては、先にステータコアＳＣの構造について説明した溶接溝ｗｈ及び位置決め突部ｐｐが、冷却液を回転軸Ａの軸方向に導き、各周方向冷却液流路ｃｈｗに分配する役割を果す。
即ち、本願に係るステータコアＳＣの外径面には、回転軸Ａの軸方向に沿ってコア側冷却液流路構成部（具体的には溶接溝ｗｈ及び位置決め突部ｐｐ）が設けられ、このコア側冷却液流路構成部ｗｈ、ｐｐが軸方向における分配の用を果す。図３（ａ）、図６からも判明するように、溶接溝ｗｈに関しては、ステータコアＳＣの外径が内径側に引退しているため回転軸Ａの軸方向に連通する冷却液流路が、この溶接溝ｗｈにより形成される。一方、位置決め溝ｐｈと位置決め突部ｐｐとの間に径方向の隙間が形成されるため、この隙間により回転軸Ａの軸方向に連通する冷却液流路が形成される。
【００３９】
従って、上記構成から、図５に示すように、本願に係る回転電機Ｍでは、円筒状のステータコアＳＣを外囲して、複数の周方向の冷却液流路と軸方向の冷却液流路とが形成されるとともに、これらが交差して連通されて、冷却液がステータコアＳＣの外径面の各部位に行き渡るように構成されている。
【００４０】
さらに、周方向の冷却液流路は、上記コア側冷却液流路構成部ｗｈ、ｐｐにより形成される軸方向の冷却液流路でも連通され、これらが交差して連通されて、冷却液がステータコアＳＣの外径面の各部位に行き渡るように構成されている。
【００４１】
コイルエンドの冷却
図１、図４、図５に示すように、前記共通導入路ｃｉから左右のコイルエンドＣＥには、冷却液を当該部位ＣＥに供給するための一対のコイルエンド冷却液供給路ｃｅｓが形成されている。これらコイルエンド冷却液供給路ｃｅｓも概ねケース本体ＭＣ１に設けられており、その基端側が前記共通導入路ｃｉに連通されるとともに、コイルエンドＣＥの外径部側に関しては、左右のケースＭＣＬ，ＭＣＲそれぞれに設けられ、回転軸Ａの軸方向において冷却液を分配する（本例では軸方向の３箇所に分配）分配部ｃｅｌ，ｃｅｒを介して、コイルエンドＣＥの外形面（上面）に冷却液を分配流下させる構成が採用されている。先に説明したステータコア冷却液供給路ｓｃｓと、左右一対のコイルエンド冷却液供給路ｃｅｓとは、ケース本体ＭＣ１に独立に設けられた軸方向流路として構成されている。そして、右側のコイルエンド冷却液供給路ｃｅｓは、右側に配置されるコイルエンドＣＥの上部にその分配部ｃｅｒが設けられ、左側のコイルエンド冷却液供給路ｃｅｓは、左側に配置されるコイルエンドＣＥの上部にその分配部ｃｅｌが設けられて、左右各コイルエンドＣＥに、外径側から冷却液を供給して、当該部位ＣＥを冷却するものとなっている。
【００４２】
以上が、ステータＳに関する冷却構造であるが、本回転電機Ｍにあっては、ロータＲに関しても独特の冷却構造が採用されている。以下、このロータＲの構造に関して説明するとともに、その冷却構造について説明する。
【００４３】
ロータの構造
先にも説明したように、ロータＲは回転軸周りにロータ本体Ｒ１を備えて構成されており、ロータ本体Ｒ１はリテーナＲＬ，ＲＲに挟持される状態で回転軸Ａに固定されている。図２、図３に示すように、ロータ本体Ｒ１は、積層鉄心であるロータコアＲＣと、そのロータコアＲＣの外周側部位に回転軸Ａの軸方向にロータ本体全幅に渡って収納される棒状の永久磁石ＰＭとを備えて構成されている。即ち、ロータコアＲＣに所定部位に永久磁石ＰＭの磁石収納孔Ｈを形成し、当該磁石収納孔Ｈのそれぞれに永久磁石ＰＭが収納されている。各永久磁石ＰＭは、直方体形状とされており、回転軸Ａに沿って配設される軸方向長さが最も長く構成されるとともに、回転軸Ａを横断する断面形状に関し、一方の辺が他方の辺の３倍程度となる長方形形状とされている。本願にあっては、当該永久磁石ＰＭに関して、回転軸Ａの軸方向に伸びる各面を呼ぶのに、図６に示す断面で長方形形状の長い側の辺となり、永久磁石ＰＭの各磁極Ｓ，Ｎが位置される面を磁極面ｐｓと呼び、断面で短い側の辺で、補極部ＣＰに対向する面を補極面ｃｓと呼ぶ。
【００４４】
図３からも判明するように、このロータＲにおける永久磁石ＰＭの配置は独特の構造が採用されており、対となる永久磁石ＰＭをＶ字状を成して配置したＶ字状磁石対を、中心軸Ｚの周方向に８組、均等に分散配置している。従って、永久磁石ＰＭは合計１６個がロータコアＲＣに収納されている。
Ｖ字状磁石対に関して、その配置をさらに詳細に説明すると、対を成す一対の永久磁石ＰＭに関して、相対位置関係で近接する近接側の補極面ｃｓを径方向において内径側に位置させ、相対位置関係で離間する離間側の補極面ｃｓをそれぞれ外径側に位置させている。従って、この構造にあっては、Ｖ字の谷部が内径側に位置する。
さらに、対を成す一対の永久磁石ＰＭに関して、それらの磁極Ｎ，Ｓに関して説明すると、近接して配置される磁極面ｐｓ（径方向で共に外径側に位置される磁極面）は、極性が同一とされており（図６に磁束分布を示す一対の永久磁石ＰＭにあっては、共に、Ｎ極とされている）、離間して配置される磁極面ｐｓ（径方向で共に内径側に位置される磁極面）に関しても、その極性が同一とされている（図６に磁束分布を示す一対の永久磁石ＰＭにあっては、共に、Ｓ極とされている）。
【００４５】
Ｖ字状磁石対間における、当該磁極面ｐｓにおける極性Ｎ，Ｓの配置は、周方向において隣接するＶ字状磁石対間で、磁極の配置は逆転するようにされている。即ち、図６において、磁束分布を図示したＶ字状磁石対にあっては、外径側にＮ極が配設されているのに対して、軸周方向において隣接するＶ字状磁石対にあっては、外径側に外径側にＳ極が配設されている。
【００４６】
これら一対の永久磁石ＰＭとステータＳとの間で、磁束は、図６に示すように、磁石トルクに関係する磁束分布は一点鎖線で示すように分布し、各永久磁石ＰＭについて、一方の磁極面ｐｓを出てステータＳのヨーク部Ｙを通って他の磁極面ｐｓに到る分布（図６にａ１、ａ２で示す）となる。一方、リラクタンストルクに関係する磁束分布は二点鎖線で示すように分布し、Ｖ字状磁石対に関して、対となる一方の磁極面ｐｓ（Ｎ極もしくはＳ極）に沿って分布した後、当該一方の磁極面ｐｓの近傍部位からステータＳに進入し、当該ステータＳのヨーク部Ｙを通ってさらに元の磁極面ｐｓの近傍に戻る分布となる。図６に示すように、Ｖ字状磁石対を成す一対の永久磁石ＰＭに関して、両永久磁石ＰＭより外径側に位置する永久磁石近傍位置からステータＳ内を巡る分布（図６にｂ１で示す）と、両永久磁石ＰＭより内径側に位置する永久磁石近傍位置からステータＳ内を巡る分布（図６にｂ２で示す）とが存在することとなる。
【００４７】
本件に係るロータコアＲＣにあっては、コア内に収納される永久磁石ＰＭそれぞれについて、補極面ｃｓに隣接して、漏れ磁束を防止するための一対の空隙Ｈ１，Ｈ２がロータ本体Ｒ１の軸方向の全幅に渡って設けられている。従って、この空隙Ｈ１，Ｈ２は、その軸方向端においてリテーナＲＬ，ＲＲに接することとなっている。
【００４８】
この空隙Ｈ１、Ｈ２の形状について詳細に説明すると、この漏れ磁束防止用の空隙Ｈ１、Ｈ２は、永久磁石ＰＭそれぞれについて、内径側に位置される内径側空隙Ｈ１と外径側に位置される外径側空隙Ｈ２との組み合わせとされている。
図６からの判明するように、両空隙Ｈ１，Ｈ２は共に、概略三角形を成すおむすび状に形成されている。
【００４９】
内径側空隙Ｈ１は、その一辺が永久磁石ＰＭの補極面ｃｓとされ、内径側辺が直線状を成す永久磁石ＰＭの磁極面ｐｓの延長線に沿った形状とされている。残りの一辺は、ロータコアＲＣの中心軸Ｚの位置と永久磁石ＰＭの補極側端部ｃ１（Ｖ字状に配設される一対の永久磁石ＰＭに関して、断面視で、軸周方向において最も近接する端部（最近部位の一例）で、隣接するＶ字状磁石対間で、最も離間する端部）の位置とを連通する連結線（内径側連結線と呼び、図６にＬ１で示す）より永久磁石配設側に位置される辺で、その連結線Ｌ１に沿った辺とされている。この構成を採用することで、Ｖ字状磁石対を成す一対の永久磁石ＰＭにおいて、漏れ磁束を抑制できる。
【００５０】
外径側空隙Ｈ２は、その一辺が永久磁石ＰＭの補極面ｃｓとされ、外径側辺が円周状を成すロータコアＲＣの外周に沿った形状とされている。残りの一辺は、ロータコアＲＣの中心軸Ｚの位置と永久磁石ＰＭの補極側端部ｃ２（Ｖ字状に配設される一対の永久磁石ＰＭに関して、断面視で、軸周方向において最も離間する端部で、隣接するＶ字状磁石対間で、最も近接する端部（最近部位の一例））の位置とを連通する連結線（外径側連結線と呼び、図６にＬ２で示す）より永久磁石配設側に位置される辺で、その連結線Ｌ２に沿った辺とされている。この構成を採用することで、隣接するＶ字状磁石対間の領域において、補極部を確保して磁束を確実にステータＳ側へ巡らすことができ、漏れ磁束を抑制できる。
【００５１】
さらに、図６に示すように、各Ｖ字状磁石対の径方向内径側位置には、外径側に三角の頂点を備えた断面視三角形の軽量化孔Ｈｚが、ロータ本体Ｒ１の軸方向の全幅に渡って設けられている。
【００５２】
以上が、本例におけるロータＲの構造の説明であるが、本願にあっては、先に説明した漏れ磁束防止用の空隙Ｈ１，Ｈ２を、ロータＲの冷却用に使用する構成が採用されている。
ロータの冷却
以下、ロータＲの収納される永久磁石ＰＭの冷却について説明する。
図１に示すように、左リテーナＲＬから前記空隙Ｈ１，Ｈ２内に冷却液を導き、右リテーナＲＲへ排出させて、当該右リテーナＲＬの軸方向外側に放出させ、当該右リテーナＲＲ側に位置するコイルエンドＣＥに内径側から冷却液を供給し、当該コイルエンドＣＥの内径面を冷却するように構成されている。
【００５３】
図１に示すように、先に説明した共通供給路ｃｉから左リテーナＲＬを介して、前記空隙Ｈ１，Ｈ２に連通されるロータ冷却液供給路ｒｓが設けられている。このロータ冷却液供給路ｒｓは、共通供給路ｃｉの内径側部位に軸方向に連通され、左カバーＭＣＬの右側端面に開口する左カバー内流路ｒｓ１と、左カバーＭＣＬに固定して設けられ、径方向内径側と外径側に位置される一対の円筒状の部材（内径側流路構成部材ｐ１と外径側流路構成部材ｐ２）からなり、前記左カバー内流路ｒｓ１の開口部と、左リテーナＲＬに設けられた冷却液受け入れ部とを接続する接続流路ｒｓ２と、リテーナ内流路ｒｓ３から構成されている。
【００５４】
前記接続流路ｒｓ２は、前記内径側流路構成部材ｐ１と外径側流路構成部材ｐ２との間において冷却液を受け入れて、左リテーナＲＬ側において、外径側流路構成部材ｐ２とロータＲの回転軸Ａの外径面との間に形成された円筒状導入路を経て、左リテーナＲＬ内に冷却液を導入する構成が採用されている。
【００５５】
図１、図７に示すように、リテーナ内流路ｒｓ３は、外径側流路構成部材Ｐ２のリテーナ側端に設けられるリング状の内径側液溜め部ｒ１と、外径側流路構成部材ｐ２のリテーナ側端近傍で、当該部材の外径側に設けられる同じくリング状の外径側液溜め部ｒ２とを備えて構成されている。
一方、左リテーナＲＬのロータコアＲＣに接する面には、前記空隙Ｈ１，Ｈ２にそれぞれ連通するリング状の内径側分配部ｔ１と、同じくリング状の外径側分配部ｔ２とが設けられている。そして、前記内径側液溜め部ｒ１が前記内径側分配部ｔ１に複数の内径側絞り路ｕ１を介して、前記外径側液溜め部ｒ２が前記外径側分配部ｔ２に複数の外径側絞り路ｕ２を介して連通接続されている。従って、共通供給路ｃｉから前記内径側分配部ｔ１及び外径側分配部ｔ２に、個別に冷却液を導入することができる。
さらに、内径側絞り路ｕ１及び外径側絞り路ｕ２が設けられていることにより、分配部ｔ１、ｔ２側で、一定の冷却液量を確保することができる。
前記内径側分配部ｔ１からは先に説明した内径側空隙Ｈ１に、前記外径側分配部ｔ２からは先に説明した外径側空隙Ｈ２に、それぞれ冷却液が流入することとなる。
【００５６】
一方、図１に示すように、右リテーナＲＲのロータコアＲＣに接する面には、前記空隙Ｈ１，Ｈ２に共通に連通し、内径側空隙Ｈ１及び外径側空隙Ｈ２の両方から流れてきた冷却液が集合するリング状の集合部ｖが設けられている。この集合部ｖは、右リテーナＲＲの左側端面に設けられる、軸方向に薄い凹部とされており、内径側空隙Ｈ１と外径側空隙Ｈ２とを流れてきた冷却液が、ロータＲの回転に伴って発生する遠心力により、集合部ｖ外径側に付勢されることとなる。集合部ｖの外径側部位から右リテーナＲＲの右側端面に渡って冷却液を、右側のコイルエンドＣＥの内径面に放散するための冷却液放散路ｘが設けられている。
従って、前記内径側空隙Ｈ１及び外径側空隙Ｈ２を流れてロータコアを冷却した冷却液は、前記冷却液放散路ｘから右側のコイルエンドＣＥの内径面に放散され、右側のコイルエンドＣＥを冷却することができる。
【００５７】
さて、図１、図４、図５に示すように、これまで説明してきた冷却液の各部位への供給を適切に調節するために、ステータコア冷却液供給路ｓｃｓ、コイルエンド冷却液供給路ｃｅｓとロータ冷却液供給路ｒｓとの間で、各供給路ｓｃｓ，ｃｅｓ，ｒｓに供給する冷却液の量を調節する冷却液供給量調節手段としての絞り部を形成するために、ステータコア冷却液供給路ｓｃｓ、コイルエンド冷却液供給路ｃｅｓの流入路入口近傍部位（具体的にはケース本体ＭＣ１の左カバーＭＣＬに接する左側端面）に、流路断面を規制する断面規制部材ｙが配設されている。結果、ロータ冷却液供給路ｒｓに供給する冷却液量を適切に調節することができるようになっている。
【００５８】
[別実施形態]
（１）  上記の実施の形態にあっては、永久磁石ＰＭをステータコアＳＣ内に配設するに一対の直方体形状の永久磁石ＰＭを回転軸Ａに直交する断面においてＶ字状を成すように配設するとともに、対を成す永久磁石ＰＭの補極面ｃｓに接して内径側空隙Ｈ１及び外径側空隙Ｈ２を形成した。
上記の構成は、一対の永久磁石ＰＭをＶ字状に配設する場合において適切な構成であるが、良く知られているように、複数の永久磁石ＰＭを径方向の所定位置（できるだけ外径側に）に、永久磁石ＰＭの間に補極部ＣＰを形成して周方向に周回して配設してもよい。このような例を図８に示した。
【００５９】
図８からも判明するように、このロータＲにおける永久磁石ＰＭの配置は、各永久磁石ＰＭ間に補極部ＣＰを構成するものであり、永久磁石ＰＭを中心軸Ｚの周方向に８組、均等に分散配置している。従って、永久磁石ＰＭは同数８個がロータコアＲＣに収納されている。この例の場合は、磁極面ｐｓはほぼ周方向に配置される。そして、磁極面ｐｓにおける極性Ｎ，Ｓの配置は、周方向において隣接する永久磁石ＰＭ間で、磁極の配置は逆転するようにされている。
【００６０】
本願にあっては、漏れ磁束を防止するために空隙を冷却液の流通用に使用するが、この例では、永久磁石ＰＭの補極面ｃｓに接して形成する空隙Ｈ３は、以下のように形成する。
【００６１】
この実施形態でも、空隙Ｈ３は概略三角形を成すおむすび状に形成する。
さらに詳細には、空隙Ｈ３は、その一辺が永久磁石ＰＭの補極面ｃｓとされ、外径側辺が永久磁石ＰＭの外径側に位置する磁極面ｐｓの延長に沿った形状とされている。残りの一辺は、ロータコアＲＣの中心軸Ｚの位置と永久磁石ＰＭの内径側に位置する補極側端部ｃ３（周方向に配設される隣接した永久磁石ＰＭに関して、断面視で、軸周方向において最も近接する端部（最近部位の一例））の位置とを接続する連結線（図８にＬ３で示す）より永久磁石配設側に位置される辺で、その連結線Ｌ３に沿った辺とされている。この構成を採用することで、隣接する永久磁石間の領域において、磁束を確実にステータＳ側へ巡らすことができ、漏れ磁束を抑制できる。
【００６２】
さらに、図８に示すように、この例でも、永久磁石間の径方向内径側位置には、外径側に三角の頂点を備えた断面視三角形の軽量化孔Ｈｚが、ロータ本体Ｒ１の軸方向の全幅に渡って設けられている。
【００６３】
このように永久磁石ＰＭを配置させる構成でも、前記空隙Ｈ３を冷却液の流通路とすることができる。そして、この構造の回転電機においても、以上説明したステータコアの冷却手法を採用することができる。
また永久磁石ＰＭの配置構成として、図８に示すような複数の永久磁石ＰＭを径方向のできるだけ外径側に、永久磁石ＰＭの間に補極部ＣＰを形成して周方向に周回して配設する配置構成に加え、これら永久磁石ＰＭの内径側に、図６に示すように一対の永久磁石ＰＭをＶ字状に配置して、合計３個の永久磁石ＰＭからなる組を、周方向に周回して配置してもよい。
（２）  上記の実施の形態にあっては、冷却液を左カバー側から供給する例を示したが、冷却液の供給側としては、左カバー、右カバーを特定するものではなく、いずれのカバー側から供給してもよい。
（３）  上記の実施の形態にあっては、ステータの冷却とロータの冷却とをともに行うことができる例を示したが、ステータ側のみの冷却を行える構造としてもよい。
（４）  上記の実施の形態にあっては、ステータコアの冷却に加え、コイルエンドの冷却とロータの冷却とをともに行うことができる例を示したが、ステータコアの冷却に加え、コイルエンド側のみ或いはロータ側のみの冷却を行える構造としてもよい。
（５）  上記の実施の形態にあっては、冷却液として、ベアリングの潤滑をも行える潤滑油を冷却液として使用する例を示したが、本願にあっては、少なくともステータコアの冷却を実現できればよいため、ステータコア用に別の冷却液を流す構造を採用してもよい。
（６）  上記の実施の形態にあっては、図１から判明するように、冷却液の導入口ｉｎから、ステータコアＳＣの外径部、左右のコイルエンドＣＥ、ロータ本体ＭＣ１内に設けられた空隙Ｈ１、Ｈ２への供給に関して、それぞれ単一のケース本体ＭＣ１，左カバーＭＣＬを使用して、所定部位に冷却液を供給するものとした。しかしながら、例えば、ケース本体を複数の部材から構成し、その一の部材を冷却液供給路を形成するための専用の部材としてもよい。このように冷却液供給路を形成するための専用の部材を設けてもよいのはカバーに関しても同様である。
【産業上の利用可能性】
【００６４】
ステータコアを冷却液により直接冷却することで比較的冷却能が高く、品質が安定し、組み立てが容易でコスト高を招来しない回転電機の冷却構造を得ることができた。
【図面の簡単な説明】
【００６５】
【図１】本願に係る回転電機の冷却構造の回転軸に沿った断面図
【図２】本願に係る回転電機の冷却構造の分解斜視図
【図３】図１におけるＩＩＩ−ＩＩＩ断面図（ａ）及びＩＶ−ＩＶ断面図（ｂ）
【図４】左及び左のコイルエンド外径部位に対する冷却液供給路を示す回転軸に沿った断面図
【図５】ステータコア周りに冷却液を供給する供給構造の模式図
【図６】本願に係る永久磁石の配設構造を採用した場合の磁束分布を示す説明図
【図７】ロータに冷却液を供給する供給構造の模式図
【図８】本願に係る永久磁石の配設構造の別実施形態を示す図
【符号の説明】
【００６６】
ＣＥ    コイルエンド
ＣＰ    補極部
ｃｈ    ケース側冷却液溝
ＥＡ    電装品配設空間
Ｈ      磁石収納孔
Ｈ１    内径側空隙
Ｈ２    外径側空隙
Ｍ      回転電機
ＭＣ    ケース
ＰＭ    永久磁石
ｐｓ    磁極面
ｃｓ    補極面
Ｓ      ステータ
ＳＣ    ステータコア
ｐ      鋼板
ｗｈ    溶接溝（コア側冷却液流路構成部）
ｐｐ    位置決め凸部（コア側冷却液流路構成部）
Ｒ      ロータ
ｓｃｓ  ステータコア冷却液供給部
ｃｅｓ  コイルエンド冷却液供給部
ｃｅｒ  分配部
ｃｅｌ  分配部
ｒｓ    ロータ冷却液供給部
【図１】
2009022145.tif 000003
【図２】
2009022145.tif 000004
【図３】
2009022145.tif 000005
【図４】
2009022145.tif 000006
【図５】
2009022145.tif 000007
【図６】
2009022145.tif 000008
【図７】
2009022145.tif 000009
【図８】
2009022145.tif 000010